(57)【要約】【課題】  ポールに対して容易に取り付けることができる筒状型のポール取付用表示装置を提供する。【解決手段】  ポール２００に対して外嵌状態で取り付けられてその外周面で表示を行うポール取付用表示具１００を、筒状表示部材１１０と、筒状表示部材１１０をポール２００に対して取り付ける治具部材１２０とを備えたものとし、筒状表示部材１１０を、ポール２００の周回方向で分割された複数の分割表示部材１１１，１１２で構成するとともに、治具部材１２０を、ポール２００に対して取り付けられるポール取付部１２０ｃと、複数の分割表示部材１１１，１１２を筒状に結束した状態で支持する表示部材支持部１２０とを有するものとした。【選択図】  図３
2019138961.tif 000002
【特許請求の範囲】
【請求項１】
ポールに対して外嵌状態で取り付けられてその外周面で表示を行うポール取付用表示具であって、
ポールに対して外嵌状態で配され、その外周面で表示を行う筒状表示部材と、
筒状表示部材を前記ポールに対して取り付ける治具部材と
を備え、
筒状表示部材が、前記ポールの周回方向で分割された複数の分割表示部材で構成されるとともに、
治具部材が、前記ポールに対して取り付けられるポール取付部と、複数の分割表示部材を筒状に結束した状態で支持する表示部材支持部とを有する
ことを特徴とするポール取付用表示具。
【請求項２】
治具部材が、
筒状表示部材の一端側で前記ポールに対して取り付けられる一端側の治具部材と、
筒状表示部材の他端側で前記ポールに対して取り付けられる他端側の治具部材と
で構成された
請求項１記載のポール取付用表示具。
【請求項３】
治具部材が、前記ポールに対して外嵌状態で取付可能な環状のものとされ、前記ポールの周回方向で分割されて互いに連結可能な複数の分割治具部材で構成された
請求項１又は２記載のポール取付用表示具。
【請求項４】
治具部材のポール取付部の内周部に、前記ポールの外周面に接触させるスペーサーを取り付けるためのスペーサー取付部が設けられた請求項３記載のポール取付用表示具。
【請求項５】
請求項１〜４いずれか記載のポール取付用表示具を前記ポールに対して取り付けるポール取付用表示具の取付方法。
【発明の詳細な説明】
【技術分野】
【０００１】
本発明は、ポールに外嵌状態で取り付けられて表示を行うポール取付用表示具と、このポール取付用表示具の施工方法とに関する。
【背景技術】
【０００２】
建設現場等においては、作業員や一般人に注意を促すためや、一般人が作業区画内へ立ち入らないようにするため等に、「落下物注意」や「関係者以外立入禁止」といった類の表示が行われている。建設現場等におけるこの種の表示は、仮設足場等を構成するポールに取り付けた表示具で行われることが多い（例えば、特許文献１を参照。）。また、街灯や電信柱や監視カメラ設置柱等のポールには、その場所の住所を表示したり、案内や広告を行ったりするため等に、表示具が取り付けられることがある（例えば、特許文献２を参照。）。このように、その場にあるポールを利用して何らかの表示を行うことは、従来より広く行われている。
【先行技術文献】
【特許文献】
【０００３】
【特許文献１】特開平０９−１２７８９９号公報
【特許文献２】特許第５６１０４９９号公報
【発明の概要】
【発明が解決しようとする課題】
【０００４】
しかし、特許文献１や特許文献２の表示具はいずれも、ポールから吊り下げたり、ポールの外周面に貼り付けたりする平板状のものとなっていた。このため、これらの表示具は、その表示面を視認できる方向が限られる等、表示内容の視認性が必ずしも良好ではないという問題があった。
【０００５】
上記の問題は、例えば、図６に示すように、筒状を為し、その外周面（同図において網掛けハッチングで示した面）が表示面として機能するポール取付用表示具１００をポール２００に対して外嵌状態で取り付けるようにすれば、解決することができる。以下においては、この態様のポール取付用表示具１００を「筒状型のポール取付用表示具」と呼ぶことがある。
【０００６】
図６に示すような筒状型のポール取付用表示具１００は、その表示面を３６０°どの角度からも視認することができる。加えて、筒状型のポール取付用表示具１００は、風が吹く等しても揺れないため、良好な視認性を維持できるだけでなく、騒音も生じないという利点をも有している。ところが、筒状型のポール取付用表示具１００は、ポール２００の長さや、ポール２００が設置されている環境等によっては、ポール２００に対して取り付けにくいという欠点を有している。
【０００７】
というのも、図６に示すような筒状型のポール取付用表示具１００をポール２００に対して取り付けるためには、ポール取付用表示具１００の中心線に沿って貫通して設けられたポール挿通孔１０１にポール２００を挿通する必要がある。ところが、図６に示すように、ポール２００の下側が地面Ｇ（ポール設置面）に固定されており、ポール２００の高さ（長さ）があるような場合には、ポール取付用表示具１００の取り付けは、ポール２００に梯子を掛けての作業となってしまう。
【０００８】
また、ポール２００の一端部２０１（図６では上端部）に、照明や信号機や監視カメラ等の物体が取り付けられている場合には、その物体をポール２００から一端取り外さないと、ポール取付用表示具１００をポール２００に対して取り付けることさえできない。上記の仮設足場等でも、それを構成するポールの両端には、通常、地面や足板、或いは横ポール（仮設足場で梁状に設置されるポール）や縦ポール（仮設足場で柱状に設置されるポール）や各種金具等が存在しているため、これらを一旦取り外さなければ、ポール取付用表示具１００を取り付けることができない。
【０００９】
本発明は、上記課題を解決するために為されたものであり、筒状型のものでありながらも、取付対象のポールが長い場合や、そのポールの両端部に障害物が存在する場合等でも、そのポールに対して容易に取り付けることができるポール取付用表示具を提供するものである。また、このポール取付用表示具をポールに対して好適に取り付けることができるポール取付用表示具の取付方法を提供することも本発明の目的である。
【課題を解決するための手段】
【００１０】
上記課題は、
ポールに対して外嵌状態で取り付けられてその外周面で表示を行うポール取付用表示具であって、
ポールに対して外嵌状態で配され、その外周面で表示を行う筒状表示部材と、
筒状表示部材を前記ポールに対して取り付ける治具部材と
を備え、
筒状表示部材が、前記ポールの周回方向で分割された複数の分割表示部材で構成されるとともに、
治具部材が、前記ポールに対して取り付けられるポール取付部と、複数の分割表示部材を筒状に結束した状態で支持する表示部材支持部とを有する
ことを特徴とするポール取付用表示具
を提供することによって解決される。
【００１１】
このように、筒状表示部材を、複数の部材（分割表示部材）に分割可能な構造とすることによって、それぞれの分割表示部材をポールの外周側から宛がう態様で、筒状表示部材をポールに取り付けることが可能になる。このため、ポールが長い場合や、ポールの両端部に障害物が存在する場合等でも、そのポールに対して筒状型のポール取付用表示具を容易に取り付けることが可能になる。
【００１２】
また、筒状表示部材は、通常、ある程度の大きさを有することに加えて、それをゴム等の弾性素材で形成して筒状表示部材に緩衝機能も発揮させようとした場合等には重量も大きくなるため、筒状表示部材の運搬や取扱いに手間を要する虞もある。この点、筒状表示部材を複数の部材（分割表示部材）で構成したことによって、筒状表示部材の運搬容易性や取扱容易性を高めることも可能になる。
【００１３】
ただし、筒状表示部材を複数の部材（分割表示部材）で構成すると、これらの分割表示部材をポールに対して位置決め等する際に、分割表示部材がバラバラとして作業に手間取る虞がある。この点、本発明のポール取付用表示具では、複数の分割表示部材を筒状に結束した状態で支持可能な治具部材を設けることによって、その問題を解決している。
【００１４】
本発明のポール取付用表示具において、治具部材は、１つのみ設けてもよいが、筒状表示部材の一端側で前記ポールに対して取り付けられる一端側の治具部材と、筒状表示部材の他端側で前記ポールに対して取り付けられる他端側の治具部材とで構成することが好ましい。
【００１５】
これにより、筒状表示部材を構成する複数の分割表示部材をその両端で結束することができるようになり、ポールに取り付けた後の筒状表示部材の形態安定性をより高めることが可能になる。
【００１６】
本発明のポール取付用表示具において、治具部材は、その形態を特に限定されるものではないが、前記ポールに対して外嵌状態で取付可能な環状のものとし、前記ポールの周回方向で分割されて互いに連結可能な複数の分割治具部材で構成することが好ましい。
【００１７】
このように、治具部材を環状のものとすることによって、ポールに対して治具部材をよりしっかりと取り付けることが可能になる。また、治具部材の表示部材支持部で、筒状表示部材を構成する複数の分割表示部材の外周面を囲むように保持し、複数の分割表示部材をより確実に結束することも可能になる。さらに、環状の治具部材を複数の部材（分割治具部材）で構成したことによって、筒状表示部材の分割表示部材と同様、それぞれの分割治具部材をポールの外周側から宛がう態様で、治具部材をポールに取り付けることが可能になる。このため、ポールが長い場合や、ポールの両端部に障害物が存在する場合等でも、そのポールに対して環状の治具部材を容易に取り付けることが可能になる。
【００１８】
本発明のポール取付用表示具においては、治具部材のポール取付部の内周部に、前記ポールの外周面に接触させるスペーサーを取り付けるためのスペーサー取付部を設けることも好ましい。
【００１９】
これにより、ポール取付用表示具の汎用性を高めることが可能になる。というのも、ポール取付用表示具を取り付ける対象のポールの太さは常に同一であるとは限らないところ、治具部材におけるポール取付部の内周部にスペーサーを取り付けることができるようにしておけば、同じポール取付用表示具であっても、太さ（外径）の異なるポールに対して取り付けることが可能になるからである。
【発明の効果】
【００２０】
以上のように、本発明によって、筒状型のものでありながらも、取付対象のポールが長い場合や、そのポールの両端部に障害物が存在する場合等でも、そのポールに対して容易に取り付けることができるポール取付用表示具を提供することが可能になる。また、このポール取付用表示具をポールに対して好適に取り付けることができるポール取付用表示具の取付方法を提供することも可能になる。
【図面の簡単な説明】
【００２１】
【図１】本発明に係るポール取付用表示具をポールに対して取り付けた状態を示した斜視図である。
【図２】本発明に係るポール取付用表示具をポールに対して取り付けた状態を示した正面図である。
【図３】本発明に係るポール取付用表示具をポールに対して取り付ける前の状態を示した斜視図である。
【図４】本発明に係るポール取付用表示具を構成する治具部材を、複数の分割治具部材に分解した状態を示した斜視図である。
【図５】本発明に係るポール取付用表示具をポールに対して取り付けた状態を、図２におけるＺ１−Ｚ１面で切断して示した断面図である。
【図６】筒状を為すポール取付用表示具をポールに対して取り付けた状態を示した斜視図である。
【発明を実施するための形態】
【００２２】
０．ポール取付用表示具の概要
本発明のポール取付用表示具１００の好適な実施態様について、図面を用いてより具体的に説明する。図１は、本発明のポール取付用表示具１００をポール２００に対して取り付けた状態を示した斜視図である。図２は、本発明のポール取付用表示具１００をポール２００に対して取り付けた状態を示した正面図である。
【００２３】
図１及び図２や、後掲する図３以降の図では、ｘ軸とｙ軸とｚ軸とを示している。これらの座標軸の向きは、異なる図面でも共通している。以下においては、ｘ軸方向正側を「右」、ｘ軸方向負側を「左」、ｙ軸方向正側を「後」、ｙ軸方向負側を「前」、ｚ軸方向正側を「上」、ｚ軸方向負側を「下」として説明する。ただし、これは、飽くまで説明の便宜を考慮してのものであり、本発明のポール取付用表示具１００を使用する向き等を限定するものではない。
【００２４】
本発明のポール取付用表示具１００は、図１及び図２に示すように、ポール２００に対して外嵌状態で取り付けられてその外周面（網掛けハッチングで示した部分）で表示を行うものとなっている。本実施態様においては、地面Ｇ（設置面）から上向きに立設したポール２００に対してポール取付用表示具１００を取り付けているが、ポール２００は、上下方向に対して傾斜したものであってもよいし、左右方向に支持されたものであってもよい。本発明のポール取付用表示具１００は、ポール２００の方向にかかわらず取り付けることが可能である。
【００２５】
また、本実施態様において、ポール２００は、中空なパイプ状のものとなっているが、中実な無垢状のものであってもよい。また、ポール２００の外周形状は、円形のものだけでなく、多角形（三角形や四角形や六角形等）等の他の形状であってもよい。
【００２６】
本発明のポール取付用表示具１００は、筒状表示部材１１０と治具部材１２０とを備えたものとなっている。以下、本発明のポール取付用表示具１００を構成する各部材について詳しく説明する。
【００２７】
１．筒状表示部材
筒状表示部材１１０は、図１及び図２に示すように、ポール２００に対して外嵌状態で配され、その外周面（網掛けハッチングで示した部分）を表示面として表示を行うものとなっている。筒状表示部材１１０の外周面（表示面）には、ポール取付用表示具１００の用途等に応じて、「落下物注意」や「関係者以外立入禁止」等の表示が施される。
【００２８】
筒状表示部材１１０の素材は、特に限定されないが、ゴムや発泡樹脂等、弾性変形可能な柔軟な弾性材料で形成することが好ましい。これにより、筒状表示部材１１０に緩衝機能を付与することも可能となる。この場合、筒状表示部材１１０の外面は、上記の表示が印刷等で施された表示シートを配するとよい。表示シートのさらに外面には、樹脂等のラミネートを施すと、表示シートを風雨や汚れ等から保護することが可能になる。
【００２９】
筒状表示部材１１０を形成する弾性材料としては、ポリプロピレン（ＰＰ）や、ポリエチレン（ＰＥ）や、ポリウレタン（ＰＵ）や、ポリスチレン（ＰＳ）や、ポリ塩化ビニル（ＰＶＣ）や、メラミン樹脂（ＭＦ）等の熱可塑性樹脂の発泡体や、天然ゴム（ＮＲ）や、スチレン・ブタジエンゴム（ＳＢＲ）や、ニトリルゴム（ＮＢＲ）や、エチレン・プロピレン・ジエンゴム（ＥＰＤＭ）や、ウレタンゴム（Ｕ）や、シリコーンゴム（Ｑ）や、フッ素ゴム（ＦＫＭ）や、クロロプレンゴム（ＣＲ）や、ブチルゴム（ＩＩＲ）等のゴム材料の発泡体や、熱可塑性エラストマーの発泡体等が例示される。ただし、筒状表示部材１１０は、発泡体（スポンジ）である必要は特になく、ゴムや熱可塑性エラストマー等からなる非発泡体（軟質ソリッド材）とすることもできる。
【００３０】
筒状表示部材１１０の形態は、その中心線に沿ってポール２００を通すことができる筒状を為すものであれば、特に限定されない。筒状表示部材１１０の形態としては、本実施態様で採用した円筒状のほか、三角筒状や四角筒状や六角筒状や八角筒状等の多角筒状等が例示される。筒状表示部材１１０は、その太さが一定である必要も特になく、その外周面をテーパー状に形成する等、場所によって太さが異なるものであってもよい。
【００３１】
図３は、本発明のポール取付用表示具１００をポール２００に対して取り付ける前の状態を示した斜視図である。本発明のポール取付用表示具１００では、図３に示すように、筒状表示部材１１０が、ポール２００の周回方向で分割された複数の分割表示部材１１１，１１２で構成されている。
【００３２】
筒状表示部材１１０を構成する分割表示部材１１１，１１２の個数は、２個以上であれば特に限定されないが、多くしすぎると、ポール２００に対して分割表示部材１１１，１１２を位置決め等する作業に手間を要しやすくなる。このため、筒状表示部材１１０を構成する分割表示部材１１１，１１２の個数は、６個以下とすることが好ましく、４個以下とすることがより好ましく、３個以下とすることがさらに好ましい。
【００３３】
本実施態様において、筒状表示部材１１０は、ポール２００の前面側を覆う第一の分割表示部材１１１と、ポール２００の後面側を覆う第二の分割表示部材１１２とで構成している。ポール２００が長い場合や、ポール２００の両端部に障害物が存在する場合等でも、そのポール２００に対して筒状表示部材１１０を取り付けることができるようにするという課題自体は、筒状表示部材１１０を２個の分割表示部材１１１，１１２で構成すれば、解決することができる。
【００３４】
２．治具部材
治具部材１２０は、図１及び図２に示すように、ポール２００に対して筒状表示部材１１０を取り付けるためのものとなっている。治具部材１２０は、金属等で形成されたものであってもよいが、本実施態様においては、樹脂によって形成されたものとなっている。治具部材１２０は、少なくとも１個設ければ、上記の機能（ポール２００に対して筒状表示部材１１０を取り付けるという機能）を発揮することができるが、本実施態様のように、複数個設けることが好ましい。
【００３５】
具体的には、筒状表示部材１１０の一端側（本実施態様では下端側）でポール２００に対して取り付けられる一端側の治具部材１２０ａと、筒状表示部材１１０の他端側（本実施態様では上端側）でポール２００に対して取り付けられる他端側の治具部材１２０ｂとを設けることが好ましい。これにより、筒状表示部材１１０を構成する複数の分割表示部材１１１，１１２をその両端で結束することができるようになり、ポール２００に取り付けた後の筒状表示部材１１０の形態安定性をより高めることが可能になる。
【００３６】
それぞれの治具部材１２０（一端側の治具部材１２０ａ及び他端側の治具部材１２０ｂ）は、ポール取付部１２０ｃと表示部材支持部１２０ｄとを有している。ポール取付部１２０ｃは、ポール２００に対して取り付けられる部分となっており、表示部材支持部１２０ｄは、複数の分割表示部材１１１，１１２で構成される筒状表示部材１１０を筒状に結束した状態で支持する部分となっている。
【００３７】
それぞれの治具部材１２０（一端側の治具部材１２０ａ及び他端側の治具部材１２０ｂ）は、その形態を特に限定されるものではない。本実施態様においては、図１に示すように、それぞれの治具部材１２０を、ポール２００に対して外嵌状態で取付可能な環状のものとするとともに、図３に示すように、それぞれの治具部材１２０を、ポール２００の周回方向で分割されて互いに連結可能な複数の分割治具部材１２１，１２２で構成している。
【００３８】
このように、それぞれの治具部材１２０（一端側の治具部材１２０ａ及び他端側の治具部材１２０ｂ）を環状のものとすることによって、ポール２００に対して治具部材１２０をよりしっかりと取り付けることができるようになっている。また、治具部材１２０の表示部材支持部１２０ｄで、筒状表示部材１１０を構成する複数の分割表示部材１１１，１１２の外周面を囲むように保持し、複数の分割表示部材１１１，１１２をより確実に結束することもできるようになっている。
【００３９】
ただし、それぞれの治具部材１２０（一端側の治具部材１２０ａ及び他端側の治具部材１２０ｂ）を環状とすると、筒状表示部材１１０で述べたのと同じ理由で、ポール２００が長い場合やポール２００の両端部に障害物が存在する場合等に、ポール２００に対して治具部材１２０を取り付けにくくなる虞がある。
【００４０】
この点、本実施態様では、筒状表示部材１１０を複数の分割表示部材１１１，１１２で構成したのと同じように、それぞれの治具部材１２０を、複数の分割治具部材１２１，１２２で構成している。具体的には、それぞれの治具部材１２０を、ポール２００の前面側を覆う第一の分割治具部材１２１と、ポール２００の後面側を覆う第二の分割治具部材１２２とで構成している。
【００４１】
これにより、それぞれの分割治具部材１２１，１２２をポール２００の外周側から宛がう態様で、治具部材１２０をポール２００に取り付けることが可能となっている。したがって、ポール２００が長い場合やポール２００の両端部に障害物が存在する場合等でも、ポール２００に対して環状の治具部材１２０を容易に取り付けることができるようになっている。
【００４２】
図４は、本発明のポール取付用表示具１００を構成する治具部材１２０を、複数の分割治具部材１２１，１２２に分解した状態を示した斜視図である。図５は、本発明のポール取付用表示具１００をポール２００に対して取り付けた状態を、図２におけるＺ１−Ｚ１面で切断して示した断面図である。
【００４３】
図４は、図１〜３に示した一端側の治具部材１２０ａと他端側の治具部材１２０ｂとのうち、他端側の治具部材１２０ｂを示したものとなっている。ただし、本実施態様においては、一端側の治具部材１２０ａと他端側の治具部材１２０ｂとは、上下を反転させただけのものとなっている。このため、以下においては、主に、他端側の治具部材１２０ｂを例に挙げて、治具部材１２０の構成を説明し、一端側の治具部材１２０ｂの構成の説明は割愛する。しかし、他端側の治具部材１２０ｂで述べた構成は、上下を反転させると、一端側の治具部材１２０ａにも当て嵌まる。
【００４４】
治具部材１２０ａが、ポール取付部１２０ｃと表示部材支持部１２０ｄとを有することは既に述べたが、本実施態様においては、それぞれを図４に示す形態としている。
【００４５】
ポール取付部１２０ｃは、それぞれの分割治具部材１２１，１２２において半円筒状を為す円筒部（その内周面側がポール２００の外周面に宛がわれる部分）と、当該円筒部の両端部から外側に突き出た左右一対の板状部とで構成されている。この板状部には、ボルト挿通孔１２０ｃ１が設けられている。
【００４６】
ボルト挿通孔１２０ｃ１は、図５に示すように、ボルト３０１を挿通するための部分となっている。このボルト３０１のネジ軸部に対して、ボルト挿通孔１２０ｃ１の反対側からナット３０２を螺合して締め付けることにより、第一の分割治具部材１２１のポール取付部１２０ｃにおける前記板状部と、第二の分割治具部材１２２のポール取付部１２０ｃにおける前記板状部とが密着し、第一の分割治具部材１２１と第二の分割治具部材１２２とが連結された状態となるようになっている。これにより、第一の分割治具部材１２１と第二の分割治具部材１２２とをポール２００の外周部に対して締め付けた状態で固定することができるようになっている。
【００４７】
また、ポール取付部１２０ｃにおける前記円筒部の内周部には、スペーサー４００（図５）を取り付けるためのスペーサー取付部１２０ｃ２を設けている。スペーサー４００は、図５に示すように、ポール取付部１２０ｃの内周面とポール２００の外周面との間に隙間がある場合であっても、そのスペーサー４００の内面側をポール２００の外周面に接触させることで、ポール取付部１２０ｃの内周部がポール２００の外周部に保持された状態が発現するようにするためのものとなっている。
【００４８】
ポール取付用表示具１００を取り付ける対象のポール２００の太さは常に同一であるとは限らないところ、治具部材１２０におけるポール取付部１２０ｃの内周部にスペーサー４００を取り付けることができるようにすることによって、同じポール取付用表示具１００であっても、太さ（外径）の異なるポール２００に対して取り付けることが可能となっている。
【００４９】
スペーサー４００は、通常、ゴムや発泡樹脂等、弾性変形可能な柔軟な弾性材料で形成される。スペーサー４００として採用し得る弾性材料の具体的な種類は、筒状表示部材１１０を形成する弾性材料で述べたものと略同様である。ポール取付部１２０ｃにおけるスペーサー取付部１２０ｃ２に対してスペーサー４００を取り付ける方法は、特に限定されないが、本実施態様においては、粘着テープ（両面テープ）を用いてスペーサー４００を貼り付けるようにしている。スペーサー４００は、接着剤等、他の方法で固定することも可能である。
【００５０】
スペーサー取付部１２０ｃ２の個数や配置は、特に限定されないが、図５に示すように、スペーサー取付部１２０ｃ２を複数箇所に設けて、それぞれのスペーサー取付部１２０ｃ２がポール２００の中心に対して回転対称となるように配置することが好ましい。これにより、ポール２００に対して治具部材１２０を安定して取り付けることが可能になる。スペーサー取付部１２０ｃ２の形態も、特に限定されないが、本実施態様においては、ポール取付部１２０ｃの内周面に設けた凹部としており、スペーサー取付部１２０ｃ２に対してスペーサー４００を位置決めしやすくしている。
【００５１】
これに対し、表示部材支持部１２０ｄは、図１に示すように、筒状表示部材１１０を構成する複数の分割表示部材１１１，１１２を筒状に結束した状態で支持する部分となっている。表示部材支持部１２０ｄは、斯様な機能を発揮できるのであれば、その具体的な形態を特に限定されない。本実施態様においては、図４に示すように、それぞれの分割治具部材１２１，１２２におけるポール取付部１２０ｃにおける下端部から突き出た鍔状部と、当該鍔状部から下方に延在する半円筒状のスリーブ部とで構成している。
【００５２】
表示部材支持部１２０ｄにおける前記鍔状部は、筒状表示部材１１０の上端面に宛がって支持するための部分となっており、前記スリーブ部は、その内周面を、筒状表示部材１１０を構成する複数の分割表示部材１１１，１１２における上端部近傍の外周面を保持し、その複数の分割表示部材１１１，１１２を結束する（複数の分割表示部材１１１，１１２がバラバラに分離しないようにする）ための部分となっている。
【００５３】
すなわち、上述したボルト３０１とナット３０２とを締め付けて、分割治具部材１２１と分割治具部材１２２とを連結すると、表示部材支持部１２０ｄにおける前記スリーブ部の内周面が分割表示部材１１１，１１２の内周面に密着して内側に押され、第一の分割表示部材１１１と第二の分割表示部材１１２とが互いに密着した状態で安定するようになっている。
【００５４】
本実施態様において、治具部材１２０には、上記のポール取付部１２０ｃ及び表示部材支持部１２０ｄのほか、図４に示すように、リブ１２０ｅが複数箇所に設けられている。このリブ１２０ｅによって、治具部材１２０の剛性が高められ、治具部材１２０の強度を高めることができるようになっている。
【００５５】
本実施態様においては、上記のように、ポール取付部１２０ｃにおける前記円筒部の内周面に、凹部からなるスペーサー取付部１２０ｃ２を設けたため、前記円筒部におけるスペーサー取付部１２０ｃ２が設けられた箇所は、図５に示すように、他の部分よりも薄肉になっているところ、この薄肉の部分の外側にリブ１２０ｅが位置するようにしており、スペーサー取付部１２０ｃ２が設けられた部分が補強された状態となっている。
【００５６】
また、本実施態様においては、上記のように、ポール取付部１２０ｃにおける前記板状部にボルト挿通孔１２０ｃ１を設けたところ、図５に示すように、このボルト挿通孔１２０ｃ１に近い箇所に設けられたリブ１２０ｅをやや控えめに形成している。このため、ボルト挿通孔１２０ｃ１に挿通するボルト３０１がリブ１２０ｅに干渉しないようになっている。したがって、分割治具部材１２１，１２２の連結作業が行いやすくなっている。
【００５７】
３．ポール取付用表示具の取付方法
続いて、上述したポール取付用表示具１００をポール２００に対して取り付ける方法について説明する。本実施態様のポール取付用表示具１００は、その取付方法を特に限定されるものではないが、例えば、以下の手順１〜４でポール２００に対して取り付けると、その取付作業を効率的に行うことができるようになっている。
【００５８】
［手順１］
まず、ポール取付用表示具１００を構成する各部材（図３を参照）のうち、一端側（下端側）の治具部材１２０ａをポール２００に対して取り付ける。治具部材１２０ａの取付作業は、治具部材１２０ａを構成する第一の分割治具部材１２１と第二の分割治具部材１２２とを、それぞれ反対側からポール２００の外周面に宛がい、図５に示すように、そのボルト挿通孔１２０ｃ１にボルト３０１を通してナット３０２を締め付けることにより行う。ボルト３０１とナット３０２の締め付けは、治具部材１２０ａの内周面（若しくはその内周面に設けられたスペーサー４００）がポール２００の外周面に密着して、ポール２００に対して治具部材１２０ａが動かない状態となるまで行う。
【００５９】
［手順２］
続いて、ポール２００に対して筒状表示部材１１０（図３）を取り付ける。筒状表示部材１１０の取り付けは、筒状表示部材１１０を構成する第一の分割表示部材１１１と第二の分割表示部材１１２とを、それぞれ反対側からポール２００の外周面に宛がうことにより行う。このときには、上記手順１で、ポール２００に治具部材１２０ａが取り付けられた状態となっているため、この治具部材１２０ａの表示部材支持部１２０ｄに分割表示部材１１１，１１２の下端部を支持させた状態で行うと分割表示部材１１１，１１２の位置決めを容易に行うことができる。
【００６０】
［手順３］
続いて、ポール２００に対して他端側（上端側）の治具部材１２０ｂ（図３）をポール２００に対して取り付ける。治具部材１２０ｂの取付作業は、治具部材１２０ｂを構成する第一の分割治具部材１２１と第二の分割治具部材１２２とを、それぞれ反対側からポール２００の外周面に宛がい、その表示部材支持部１２０ｄが分割表示部材１１１，１１２の上端部に支持されるようにする。この状態で、図５に示すように、そのボルト挿通孔１２０ｃ１にボルト３０１を通してナット３０２を締め付けることにより行う。ボルト３０１とナット３０２の締め付けは、治具部材１２０ａの内周面（若しくはその内周面に設けられたスペーサー４００）がポール２００の外周面に密着して、ポール２００に対して治具部材１２０ａが動かない状態となるまで行う。
【００６１】
［手順４］
最後に、一端側（下端側）の治具部材１２０ａのボルト挿通孔１２０ｃ１に挿通したボルト３０１と、他端側（上端側）の治具部材１２０ｂのボルト挿通孔１２０ｃ１に挿通したボルト３０１とをきつく締めて（本締めをして）、治具部材１２０ａの表示部材支持部１２０ｄにおける前記スリーブ部の内周面が、分割表示部材１１１，１１２の下端部の外周面に密着し、治具部材１２０ｂの表示部材支持部１２０ｄにおける前記スリーブ部の内周面が、分割表示部材１１１，１１２の上端部の外周面に密着した状態とする。これにより、分割表示部材１１１，１１２は、その上下両端部で筒状に結束された状態となる。
【００６２】
４．用途
本発明のポール取付用表示具１００は、ポール２００が長い場合やポール２００の両端部に障害物がある場合であっても、そのポール２００に対して容易に取り付けることができるものとなっている。本発明のポール取付用表示具１００は、その用途を特に限定されないが、仮設足場等を構成するポールや、街灯や電信柱や監視カメラ設置柱等のポール等に対して好適に取り付けることができるものとなっている。
【符号の説明】
【００６３】
１００    ポール取付用表示具
１０１    ポール挿通孔
１１０    筒状表示部材
１１１    第一の分割表示部材（分割表示部材）
１１２    第二の分割表示部材（分割表示部材）
１２０    治具部材
１２０ａ  一端側の治具部材（治具部材）
１２０ｂ  他端側の治具部材（治具部材）
１２０ｃ  ポール取付部
１２０ｃ１  ボルト挿通孔
１２０ｃ２  スペーサー取付部
１２０ｄ  表示部材支持部
１２０ｅ  リブ
１２１    第一の分割治具部材（分割治具部材）
１２２    第二の分割治具部材（分割治具部材）
２００    ポール
３０１    ボルト（治具部材連結具）
３０２    ナット（治具部材連結具）
４００    スペーサー
Ｇ    地面（ポール設置面）
【図１】
2019138961.tif 000003
【図２】
2019138961.tif 000004
【図３】
2019138961.tif 000005
【図４】
2019138961.tif 000006
【図５】
2019138961.tif 000007
【図６】
2019138961.tif 000008